(57)【特許請求の範囲】
【請求項１】
椅子の座板あるいは背板などの板状部材の表側を覆う表皮部材の周縁を前記板状部材の裏側に折り込んで固定する椅子用表皮部材の取付構造において、前記板状部材の裏面に、前記板状部材の縁に沿って形成された突部と当該突部に対向し差し込み板を挟み込む空間を形成するとともに前記突部に向けて突き出すアームが形成された係止片とから構成された嵌合部を形成する一方、前記差し込み板は、前記空間に挿入されて前記係止片のアームによって挟み込まれる先端縁と前記突部の内側に押し込まれる後端縁とを有して前記係止片と前記突部とで挟持されるものであり、前記表皮部材の縁部を差し込み板に巻き付け、前記表皮部材を前記板状部材の裏側に引き込みながら前記差し込み板を前記嵌合部に嵌め込むことによって前記表皮部材の縁部を前記板状部材と前記差し込み板との間に挟み込んで摩擦力で係止することを特徴とする椅子用表皮部材の取付構造。
【請求項２】
前記差し込み板は前記板状部材が取り付けられた椅子のフレームによって押さえ付けられることを特徴とする請求項１記載の椅子用表皮部材の取付構造。
【発明の詳細な説明】
【０００１】
【発明の属する技術分野】
本発明は、椅子の座板や背板等の板状部材（これらを総称する場合、本明細書では単に板状部材と呼ぶ）にたるみ無く張られる表皮部材の取付構造に関する。更に詳述すると、本発明は、板状部材の湾曲した縁に表皮部材を取り付けるのに好適な表皮部材の取付構造に関する。
【０００２】
【従来の技術】
椅子の座板や背板の表側には、ウレタンフォームなどのクッション材の上からレザー、ビニール又は布製等の表皮部材がたるみ無く張られている。図７に示すように表皮部材１０２は、従来、板状部材１０１の表側のクッション材（図示省略）の上にかぶせてその縁部１０３を板状部材１０１の裏側に折り込み、そして軽く引っ張ることで表側のたるみを伸ばしながら鋲やコの字形の針（ホチキスの針）等の止着針１０４を使用してあるいは溶着によって板状部材１０１に固定されていた。この場合、表皮部材１０２の縁１０３のほつれや切断面を隠して美観を向上させるために、別部材である裏板１０５あるいは布地などを取り付けて表皮部材１０２のほつれ等を隠したり、又は図示していないが表皮部材１０２の縁部１０３を折り返してほつれ等を隠したりしていた。
【０００３】
【発明が解決しようとする課題】
しかしながら、従来の取付構造では、表皮部材１０２を引っ張りながら止着針１０４を打ち込んで止め着けるため、作業が煩雑なものになって作業性に劣る。しかも、裏板１０５を使用する場合、その分だけコスト高となる。また、椅子を廃棄する場合に、表皮部材１０２を止め着ける多数の止着針１０４をいちいち抜き取り分別する必要があり、表皮部材の取外し作業並びに分別作業に手間取ると共に止着針１０４や裏板１０５等が廃棄物となって廃棄物の量を増やす問題を有している。さらに、多数の止着針１０４などを打ち込んで表皮部材１０２を止め着けているため、表皮部材１０２の張り替えだけで済むような場合でも、多数の針穴があいたり針が途中で折れたりして板状部材などのリサイクルを難しくするため、表皮部材の張り替えが難しい。
【０００４】
【課題を解決するための手段】
本発明は、表皮部材の取付作業及び取外し作業を簡単なものにして作業性を向上させ、また、表皮部材の張り替え時に廃棄物の量を減らすと共に廃棄物の分別が容易になる椅子用表皮部材の取付構造を提供することを目的とする。
【０００５】
かかる目的を達成するために本発明は、椅子の座板あるいは背板などの板状部材の表側を覆う表皮部材の周縁を板状部材の裏側に折り込んで固定する椅子用表皮部材の取付構造において、板状部材の裏面に、板状部材の縁に沿って形成された突部と当該突部に対向し差し込み板を挟み込む空間を形成するとともに前記突部に向けて突き出すアームが形成された係止片とから構成された嵌合部を形成する一方、差し込み板は、空間に挿入されて係止片のアームによって挟み込まれる先端縁と突部の内側に押し込まれる後端縁とを有して係止片と突部とで挟持されるものであり、表皮部材の縁部を差し込み板に巻き付け、表皮部材を板状部材の裏側に引き込みながら差し込み板を嵌合部に嵌め込むことによって表皮部材の縁部を板状部材と差し込み板との間に挟み込んで摩擦力で係止するようにしている。
【０００６】
したがって、差し込み板に表皮部材の縁部を巻き付けてから板状部材に設けられた嵌合部に嵌め込めば、差し込み板と嵌合部との間で表皮部材が挟まれ固定される。このとき、表皮部材は止着針や裏板で止め着けなくとも縁のほつれ等を隠して板状部材に固定される。一方、表皮部材を張り替える場合は、差し込み板を表皮部材の嵌合部から取り外すことによって、表皮部材を差し込み板から容易に取り外すことができる。
また、差し込み板は板状部材が取り付けられた椅子のフレームによって押さえ付けられるものであっても良い。この場合には、板状部材が椅子のフレームに取り付けられた後は、差し込み板はフレームで押さえつけられて嵌合部から外れることがない。
【０００７】
【発明の実施の形態】
以下、本発明の構成を図面に示す実施例に基づいて詳細に説明する。
【０００８】
図１及び図２は、本発明の椅子用表皮部材の取付構造の好適な実施の形態の一例を示す。この例では、例えば板状部材として座板１を挙げ、その一辺である緩やかに湾曲した前端縁に表皮部材２を取り付けている。ここで、座板１を構成する板状部材は、特に材質に限定されずポリプロピレン等の樹脂や金属あるいは合板などの木材であっても良い。そして、座板１の表面（上面）には、ウレタンフォームより成るクッション７が重ねて配置され、その上から例えばレザー、ビニール又は布等より成る表皮部材２が被せられている。
【０００９】
座板１の裏面（底面）には、その縁に沿ってほぼ全幅に亘って嵌合部３が形成されている。嵌合部３は、座板１の縁に沿って形成された突部４と、この突部４と対向し差し込み板６を挟み込む空間９を形成する係止片５とから構成されている。係止片５は、図２に示すように断続的例えば４箇所に設けられても良いし、端から端までが繋がった一本の連続した長尺なものとして構成しても良い。これら各係止片５は、突部４より所定距離だけ離れかつ突部４に対して平行に列んで配置されている。更に、各係止片５には、突部４に向けて突き出るアーム５ａが一体形成されている。このアーム５ａは、座板１の裏面８との間で差し込み板６の前端縁６ａ部分を挟持する溝１０を構成している。尚、座板１のアーム５ａと対向する部位にはアーム５ａの座板１との一体成形を可能とするための型抜き用の孔１１が設けられている。
【００１０】
差し込み板６は１枚の細長い平らな板材で、突部４とほぼ同じ長さに形成されている。この差し込み板６は、座板１の縁の平面形状即ち突部４の平面形状と各係止片５，…，５の突部４に対する配置関係に応じた平面形状とされている。例えば、この実施の形態の場合、図２に示すように突部４側の側縁が湾曲し、係止片５側の側縁が直線となった平面形状を成す。また、各係止片５，…，５を湾曲した突部４とそれぞれ平行となるように形成して突部４の湾曲と平行な曲線上に配置する場合には、両側縁が同じ方向に湾曲した平板状の差し込み板６が使用される。また、突部４の湾曲とは逆方向に湾曲した曲線上に各係止片５，…，５が配置される場合には、両側縁が逆方向に湾曲した樽形の平板から成る差し込み板６が使用される。また、座板１の縁が直線でかつ各係止片５，…，５も平行な直線上に配置されている場合には短冊形の差し込み板６が使用される。
【００１１】
以上のように構成される表皮部材取付構造によると、次のようにして表皮部材が板状部材（座板）１に取り付けられる。
【００１２】
先ず、表皮部材２の縁部を折り返し、差し込み板６をくるむように一重に巻き付ける。この場合、表皮部材２の巻き付け位置ないし量は、差し込み板６の嵌合部３への差し込み完了時に、表皮部材２が引っ張られた状態になるように調整される。尚、本発明が適用されている縁部の反対側の縁部となる座板１の後端縁側の表皮部材の固定手段として弛みをとって固定できる手段例えば図６に示すような固定手段を採用する場合には、本発明を適用した前端縁側の表皮部材の取付構造は単に表皮部材２を座板１に固定できれば良く、弛みの調整は必要ない。因みに、図６の固定手段は、座板１の縁に沿って樹脂ヒンジ１３を設けて折返し部１４を形成し、該折返し部１４に表皮部材２の縁部を係止して折返し部１４を座板１の裏側に折り返して表皮部材２を座板１の裏側に引き込みながら固定するものである。折返し部１４はピン１６を座板１の孔１５に圧入して固定されている。
【００１３】
この状態で、次のようにして差し込み板６を嵌合部３に差し込む。つまり、表皮部材２を座板１の裏側に引き込みながら、図３に示すように、差し込み板６の先端縁６ａを各係止片５のアーム５ａと座板１との間の空間９に挿入する。次いで、差し込み板６の後端縁６ｂを突部４の内側に押し込む。これにより、差し込み板６が嵌合部３に嵌まり込み、表皮部材２は、座板１と差し込み板６との間に挟み込まれて摩擦力で係止される。差し込み板６にはその全長に亘って表皮部材２が巻き付けられているので、表皮部材２には大きな摩擦力が作用し、表皮部材２の脱落が防止される。そして、差し込み板６を挿入しながら表皮部材２を裏側に引き込むことで表皮部材２の表側の弛みがとられ、クッション７に密着して固定される。尚、反対側の縁の固定に図６に示されるような固定手段あるいはその他の弛み取りが可能な固定手段を採用する場合には、表皮部材２の縁部を単純に固定するだけで足りる。
【００１４】
ここで、差し込み板６は表皮部材２を介在させて突部４と係止片５とで挟持されている。したがって、差し込み板６の突部４と係止片５との間への圧入量が適量に設定されていれば、それだけで表皮部材２の抜けを阻止できる。即ち、表皮部材２が引っ張られたとき、差し込み板６の後端縁６ｂを中心にして前端縁６ａを持ち上げる回転モーメントが作用するが、差し込み板６の前端縁６ａは各係止片５で押さえられており、差し込み板６の回転を防止する。したがって、差し込み板６は嵌合部３に固定される。特に、各係止片５にアーム５ａを設けた場合、このアーム５ａが差し込み板６の前端縁６ａを受け支えると共に表皮部材を挟みつけるので、より確実に抜けを防止できる。
【００１５】
しかして、表皮部材２は、特別な工具や止着針などを使用することなく、その縁部に差し込み板６をくるんで嵌合部３に押し込むだけで簡単に座板１に固定できる。
【００１６】
以上のようにして得られた座板１は、図４に示すように、座板１の成形時にインサートされた取付金具、通常ナット（図示省略）を利用して椅子のフレーム１２の横桁フレーム（プレート）にねじ止めされて固定される。座板１がフレーム１２に取り付けられた後は、差し込み板６はフレーム１２で押さえ付けられて嵌合部３から外れることがない。
【００１７】
一方、表皮部材２の張り替えを行う場合には、座板１をフレーム１２から取り外し、差し込み板６の後端縁６ｂを持ち上げるようにして差し込み板６を突部４から外せば良い。これにより、差し込み板６の先端縁６ａを各係止片５のアーム５ａと座板１との間より引き抜くことができ、表皮部材２を取り替えることができる。この場合、古い表皮部材２のみが廃棄物となるだけであり、差し込み板６や嵌合部３は継続して使用できる。
【００１８】
なお、本発明は湾曲した縁にも適用できるという特有の効果を有するが、直線的な縁にも適用できることは言うまでもない。そこで、座板１の前端縁は勿論のこと、両側縁更には後端縁の全ての縁に同時に適用することも可能である。この場合、座板１の四辺に表皮部材２を固定するためには、座板１の四辺の全てに嵌合部３を形成する必要がある。四辺の全長に亘り嵌合部３の突部４を形成すると、座板１の四隅において隣合う二辺の突部４が重なり合ってしまう。したがって、座板１の四隅に近い部分には、隣合う二辺のうち一方の辺にのみ突部４を形成し、他方の辺の隅に近い部分には突部４を形成していない。他方の辺の隅に近い部分においては、表皮部材２を一方の辺の嵌合部３に固定される差し込み板６で上から押さえつけるようにしても良く、又は止着針等を使用して取り付けても良い。
【００１９】
なお、上述の実施の形態は本発明の好適な実施の形態の一例ではあるがこれに特に限定されるものではなく本発明の要旨を逸脱しない範囲において種々変形実施可能である。例えば、本実施例においては、突部４と各係止片５により構成される嵌合部３を座板１の裏面８から突出させるように形成したが、図５に示すように、座板１の裏面８よりも凹んだ溝９’を形成し、この溝９’に差し込み板６を差し込んで固定するようにしても良い。溝９’の一側縁には突部４が形成され、他端縁には溝９’の上に突出するアーム５ａを有する係止片５が設けられる。この場合には、座板１の椅子用フレーム１２に対する取り付け位置等に制約を受けることがない。
【００２０】
また、本実施例では、差し込み板６に表皮部材２を１重に巻き付けているが、２回以上巻き付けても良いことは勿論である。また、本実施例では、座板１の湾曲した前端縁に適用した場合について主に説明したが、これに特に限定されるものではなく、座板１の直線的な縁に表皮部材を固定する場合にも適用できることは勿論のこと、座板１の一辺だけでなく相対向する二辺若しくは四辺の全てについて適用しても良い。さらに、板状部材として背板等に張られる表皮部材の取付構造に本発明を適用しても良いことは勿論である。
【００２１】
【発明の効果】
以上説明したように本発明に係る椅子用表皮部材の取付構造では、板状部材の裏面に、板状部材の縁に沿って形成された突部と当該突部に対向し差し込み板を挟み込む空間を形成するとともに突部に向けて突き出すアームが形成された係止片とから構成された嵌合部を形成する一方、差し込み板は、空間に挿入されて係止片のアームによって挟み込まれる先端縁と突部の内側に押し込まれる後端縁とを有して係止片と突部とで挟持されるものであり、表皮部材の縁部を差し込み板に巻き付け、表皮部材を板状部材の裏側に引き込みながら差し込み板を嵌合部に嵌め込むことによって表皮部材の縁部を板状部材と差し込み板との間に挟み込んで摩擦力で係止するようにしているので、差し込み板を着脱するだけの簡単な作業で表皮部材の取付及び取外しを行うことができ、これらの作業性が著しく向上する。また、表皮部材は差し込み板へ巻きつけて嵌合部へ押し込むだけで縁のほつれ等を隠して固定されるので、止着針や裏板等を必要とせず、部品点数の削減によるコストダウンと共に廃棄物の量と分別の手間を減らすことができる。しかも、本発明は、止着針などを使わないため、板状部材などを再利用することが可能となる。これらの結果、表皮部材を張り替えてリサイクルに適した椅子の提供を可能にすることができる。さらに、差し込み板で表皮部材の縁のほつれ等を隠しかつ縁を揃えることができるので、椅子の美観を向上させることができる。
また、差し込み板は板状部材が取り付けられた椅子のフレームによって押さえ付けられるものであっても良く、この場合には、板状部材が椅子のフレームに取り付けられた後は、差し込み板はフレームで押さえつけられて嵌合部から外れることがない。
【図面の簡単な説明】
【図１】本発明に係る椅子用表皮部材の取付構造の一実施例を示す断面図である。
【図２】図１の要部を示す座板の底面図である。
【図３】図１の取付構造において差し込み部材を挿入する直前の状態を示す断面図である。
【図４】図１の座板を椅子のフレームに取り付けた状態を示す底面図である。
【図５】本発明の他の実施の形態を示す断面図である。
【図６】表皮部材の弛みをとって固定する手段の一例を示す断面図である。
【図７】従来の表皮部材の座板への取付構造を示す底面図である。
【符号の説明】
１  座板（板状部材）
２  表皮部材
３  嵌合部
４  嵌合部を構成する突部
５  嵌合部を構成する係止片
６  差し込み板
９  差し込み板を収容する空間
【図１】
0003821869.tif 000002
【図２】
0003821869.tif 000003
【図３】
0003821869.tif 000004
【図４】
0003821869.tif 000005
【図５】
0003821869.tif 000006
【図６】
0003821869.tif 000007
【図７】
0003821869.tif 000008